(57)【要約】【課題】モップヘッドの毛糸の逸脱現象を防止する回転式モップを提供する。【解決手段】  回転式モップ１００は、ハンドル１０、モップヘッド２０および複数の毛糸３０を有する。ハンドル１０は一端に回転ヘッド部１２を有する。モップヘッド２０は、回転ヘッド部１２に接続される。複数の毛糸３０は、モップヘッドの底部に固定される。モップヘッド２０は、取付盤２１、鋸歯状ユニット２２、回転盤２３および連結機構２９を有する。取付盤２１は、差込孔２１１および貫通孔２１２を有し、上端面に環状陥没溝２１３を有し、環状陥没溝２１３の両側壁の頂面に歯状構造２１４を有する。毛糸は、環状陥没溝２１３および歯状構造２１４の中に装着される。鋸歯状ユニット２２は、環状陥没溝２１３に嵌合され、底面に形成された凹型構造２２１によって複数の毛糸３０を環状陥没溝２１３内にＭ形構造に固定することが可能である。【選択図】  図３Ｂ
0003155986.tif 000002
【実用新案登録請求の範囲】
【請求項１】
一つ以上の棒体から構成され、一端に回転ヘッド部を有するハンドルと、
前記回転ヘッド部に接続されるモップヘッドと、
前記モップヘッドの底部に固定される複数の毛糸と、
を備える回転式モップであって、
前記モップヘッドは、取付盤、少なくとも一つの鋸歯状ユニット、回転盤および連結機構を有し、
前記取付盤は、少なくとも一つの差込孔および一つの貫通孔を有し、かつ上端面に環状陥没溝を有し、前記環状陥没溝の両側壁の頂面に歯状構造を有し、前記毛糸は前記環状陥没溝および歯状構造の中に装着され、
少なくとも一つの前記鋸歯状ユニットは、前記環状陥没溝に嵌合され、かつ底面に形成された凹型構造によって前記複数の毛糸を前記環状陥没溝内にＭ形構造に固定することが可能であり、
前記回転盤は、中央に連結孔を有し、底面に少なくとも一つの突起柱を有し、前記突起柱は前記取付盤の差込孔に対応するように設けられ、かつ前記回転盤と前記取付盤との連結に用いられ、
前記連結機構は、前記回転盤と前記回転ヘッド部とを連結し、前記回転盤を前記ハンドルに対して３６０度回転させることが可能であるため、前記毛糸は前記回転盤に伴って３６０度全方位回転することが可能であることを特徴とする回転式モップ。
【請求項２】
前記回転盤の底面の前記突起柱は、前記回転盤と一体成型されることを特徴とする請求項１に記載の回転式モップ。
【請求項３】
前記回転盤の底面の前記突起柱は、単独に環状体の底面に形成され、前記環状体は中央に貫通孔を有し、断面がコ形を呈し、かつ前記環状体は外側に前記回転盤の内側に嵌合される突起部を有することを特徴とする請求項１に記載の回転式モップ。
【請求項４】
前記連結機構は、取付ユニットおよび係合ユニットを有し、
前記取付ユニットは、回転座および複数の係止溝を有し、かつ外周縁部が前記連結孔より大きいため、前記回転座を前記連結孔に露出させることが可能であり、かつ前記取付ユニットは前記貫通孔の中に装着され、
前記係合ユニットは、穿孔および複数の弾性フックを有し、
前記回転座は前記連結孔および前記穿孔に突出し、
前記弾性フックは、前記係止溝に係止されるため、前記回転座と前記回転ヘッド部とは合わさり、接続状態を呈し、前記回転盤が前記取付ユニットと前記係止ユニットとの中間に固定されることを特徴とする請求項１に記載の回転式モップ。
【請求項５】
前記連結機構は、取付ユニットおよび少なくとも一つの係合ユニットから構成され、
前記取付ユニットは、外周に前記環状陥没溝を有し、かつ頂面の耳座によって前記回転ベッド部と接続し、
前記係合ユニットは、二つの対称的な枠から構成され、内側に前記環状陥没溝に嵌合される半円形ネック部を有し、前記係合ユニットは前記枠が一体に連結される際、前記環状陥没溝の外周縁部に被さり、前記ハンドルに対して３６０度回転可能な構造を呈し、前記係合ユニットは外周に複数のフックを有し、前記フックは前記回転盤の前記連結孔の周りに配置される複数のフック状孔に嵌合されるため、前記係合ユニットと前記回転盤とは接合、固定され、
前記回転盤は、取付ユニットおよびハンドルに対して３６０度回転することが可能であることを特徴とする請求項４または５に記載の回転式モップ。
【請求項６】
前記鋸歯状ユニットは、異なる前記差込孔の間に装着されることを特徴とする請求項１に記載の回転式モップ。
【請求項７】
前記突起柱と前記差込孔との接合方式は、固着、係止固定、嵌合、係合、リベットによる接合、圧迫接合、クリップによる接合または高周波による接合を採用することを特徴とする請求項１に記載の回転式モップ。
【請求項８】
前記ハンドルは、複数の棒体を締め付けて接合することによって構成され、上端部にスリーブを有することを特徴とする請求項１に記載の回転式モップ。
【請求項９】
前記モップヘッドは、さらに底座を有し、前記底座は前記回転盤の底部に配置され、かつ前記回転盤によって受動回転することを特徴とする請求項１に記載の回転式モップ。
【請求項１０】
前記回転座は、弾性構造であることを特徴とする請求項４に記載の回転式モップ。
【請求項１１】
前記回転座は、Ｃ型フックを有し、前記回転ヘッド部はＣ型フックに対応する円状突起部を有することを特徴とする請求項４に記載の回転式モップ。
【請求項１２】
前記回転座は、耳座を有し、
前記回転ヘッド部は、二つの耳部と、前記耳座を締め付けるねじと、から構成されることを特徴とする請求項４に記載の回転式モップ。
【考案の詳細な説明】
【技術分野】
【０００１】
本考案は、回転式モップに関し、詳しく言えばモップヘッドの毛糸を３６０度全方位回転させ、かつモップヘッドの毛糸をＭ形構造にかしめることによって逸脱現象を防止することを可能にする回転式モップに関するものである。
【背景技術】
【０００２】
モップは、床掃除に用いる清潔道具の一つである。従来のモップは、ハンドルおよび底部に固定された毛糸から構成される。従来のモップを使用する際、床においてハンドルが斜めになって往復移動することによって毛糸を往復移動させ、床掃除を進める。
【０００３】
従来のモップは、ハンドルの下方の毛糸のみが直接床に接触し、清潔効果を確実に果たすことができる毛糸が床に直接接触する部分のみに限られるため、モップの清潔効果が非常に制限される。かつ長時間にわたって使用されると、毛糸が相当に汚くなる。このとき清潔効果を継続させるには、ハンドルの方向を変更し、別の部分の毛糸を床に接触させなければならないため、モップの利便性および効果を低下させてしまう。また従来のモップは、ハンドルと毛糸との接合箇所の体積が厖大であるため、壁の隅、テーブルの脚および荷物の下の隙間などを十分に掃除することができない。従って従来のモップは使用上の制限がある。また従来のモップは、ハンドルと毛糸が特別に設計されなかったため、毛糸が汚れて清潔効果を果たすことができなくなったとき、モップ全体を処分するしかない。従って物の役割を尽くす目的を達成することができない。
【０００４】
また、よく見掛けられている市販の回転式モップは、上述した問題を解決することができるが、毛糸とモップヘッドの接合方式に対しては、特別に配慮しなかったため、毛糸が引っ張られやすくモップヘッドから逸脱するという現象がよくあり、回転式モップの使用寿命を短縮してしまう。
【考案の概要】
【考案が解決しようとする課題】
【０００５】
本考案の主な目的は、モップヘッドの毛糸を３６０度全方位回転させ、かつモップヘッドによって毛糸をＭ形構造にかしめることによって逸脱現象を防止することを可能にする回転式モップを提供することである。
【課題を解決するための手段】
【０００６】
上述の目的を達成するために、本考案による回転式モップは、ハンドル、モップヘッドおよび複数の毛糸を有する。ハンドルは一つ以上の棒体から構成され、一端に回転ヘッド部を有する。モップヘッドは回転ヘッド部に接続される。複数の毛糸はモップヘッドの底部に固定される。その特徴は次のとおりである。
モップヘッドは、取付盤、少なくとも一つの鋸歯状ユニット、回転盤および連結機構を有する。
【０００７】
取付盤は、少なくとも一つの差込孔および一つの貫通孔を有し、かつ上端面に環状陥没溝を有し、環状陥没溝の両側壁の頂面に歯状構造を有する。毛糸は、環状陥没溝および歯状構造の中に装着される。少なくとも一つの鋸歯状ユニットは、環状陥没溝に嵌合され、かつ底面に形成された凹型構造によって複数の毛糸を環状陥没溝内にＭ形構造に固定することが可能である。回転盤は、連結孔および少なくとも一つの突起柱を有する。突起柱は、取付盤の差込孔に対応するように設けられ、かつ回転盤と取付盤との連結に用いられる。連結機構は、回転盤と回転ヘッド部とを連結し、回転盤をハンドルに対して３６０度回転させることが可能であるため、毛糸は回転盤に伴って３６０度全方位回転することが可能である。
上述した特徴により、回転盤の底面の突起柱は、回転盤と一体成型される。
回転盤の底面の突起柱は、単独に環状体の底面に形成され、環状体は中央に貫通孔を有し、断面がコ形を呈する。環状体は外側に回転盤の内側に嵌合される突起部を有する。
【０００８】
連結機構は、取付ユニットおよび係合ユニットを有する。取付ユニットは回転座および複数の係止溝を有し、かつ外周縁部が連結孔より大きいため、回転座を連結孔に露出させることが可能である。かつ取付ユニットは、貫通孔の中に装着される。係合ユニットは、穿孔および複数の弾性フックを有する。回転座は連結孔および穿孔に突出し、弾性フックは係止溝に係止されるため、回転座と回転ヘッド部とが合わさり、接続状態を呈し、回転盤が取付ユニットと係止ユニットとの中間に固定される。
【０００９】
連結機構は、取付ユニットおよび少なくとも一つの係合ユニットから構成される。取付ユニットは、外周に環状陥没溝を有し、かつ頂面の耳座によって回転ヘッド部と接続する。係合ユニットは、内側に環状陥没溝に嵌合される半円形ネック部を有する。二つの係合ユニットは、一体に連結される際、環状陥没溝の外周縁部に被さり、ハンドルに対して３６０度回転可能な構造を呈する。係合ユニットは、外周に複数のフックを有する。フックは回転盤の連結孔の周りに配置される複数のフック状孔に嵌合されるため、取付ユニットおよび係合ユニットは連結孔内に位置付けられ、係合ユニットと回転盤とは接合、固定される。このとき回転盤は取付ユニットおよびハンドルに対して３６０度回転することが可能である。
【図面の簡単な説明】
【００１０】
【図１Ａ】本考案の第一実施形態によるモップヘッドを示す分解斜視図である。
【図１Ｂ】本考案の第二実施形態によるモップヘッドを示す分解斜視図である。
【図２Ａ】本考案の第一実施形態によるモップヘッドを示す断面図である。
【図２Ｂ】本考案の第二実施形態によるモップヘッドを示す断面図である。
【図３Ａ】本考案の第一実施形態による回転式モップを示す斜視図である。
【図３Ｂ】本考案の第一実施形態による回転式モップを示す分解斜視図である。
【図３Ｃ】本考案の第一実施形態による回転式モップにおけるモップヘッドの一部分の構造を示す分解斜視図である。
【図３Ｄ】本考案の第一実施形態による回転式モップにおいてモップヘッドの一部分の構造が組み立てられた状態を示す模式図である。
【図４Ａ】本考案の第一実施形態による回転式モップの組立過程を示す模式図である。
【図４Ｂ】本考案の第一実施形態による回転式モップの組立過程を示す模式図である。
【図５】本考案の第一実施形態による回転式モップの組立が完了した状態を示す側面断面図である。
【図６Ａ】本考案の第二実施形態による回転式モップの組立過程を示す模式図である。
【図６Ｂ】本考案の第二実施形態による回転式モップの組立過程を示す模式図である。
【図６Ｃ】本考案の第二実施形態による回転式モップの組立が完了した状態を示す斜視図である。
【図７】本考案の第二実施形態による回転式モップの組立が完了した状態を示す側面断面図である。
【図８】本考案の他の実施形態による回転式モップにおけるハンドルを示す分解斜視図である。
【考案を実施するための形態】
【００１１】
以下、本考案による回転式モップを図面に基づいて説明する。
（第一実施形態）
図１Ａに示すのは本考案の第一実施形態によるモップヘッド２０の構造である。モップヘッド２０は、取付盤２１、鋸歯状ユニット２２および回転盤２３を有する。
取付盤２１は、少なくとも一つの差込孔２１１および一つの貫通孔２１２を有し、かつ上端面に環状陥没溝２１３を有し、環状陥没溝２１３の両側壁の頂面に歯状構造２１４を有する。複数の毛糸３０は、環状陥没溝２１３および歯状構造の中２１４に装着される。図３Ｃに示すのは組み合せる前の取付盤２１、鋸歯状ユニット２２および複数の毛糸３０などの構造を示す分解図である。そのうちの鋸歯状ユニット２２は、弧状を呈し、環状陥没溝２１３に嵌合される。かつ鋸歯状ユニット２２は異なる差込孔２１２の間に装着される。図３Ｄに示すように、複数の毛糸３０は、鋸歯状ユニット２２の底面に形成された凹型構造２２１によって環状陥没溝２１３内にＭ形構造に固定される。
【００１２】
凹型構造２２１は、複数の毛糸３０を環状陥没溝２１３に固定する際のかしめる力を増強することが可能なだけでなく、複数の毛糸３０の縦方向上の移動空間を増加させることが可能である。図３Ｃおよび図３Ｄに示すように、凹型構造２２１は、Ｕ型またはＶ型または不規則な形にすることが可能である。図３Ｃおよび図３Ｄに示すように、Ｕ型およびＶ型は均一な間隔または不均一な間隔を置いて配列することが可能である。
【００１３】
回転盤２３は、連結孔２３１および少なくとも一つの突起柱２３２を有し、突起柱２３２は差込孔２１１に対応するように設けられ、かつ取付盤２１と回転盤２３との連結に用いられる。歯状構造２１４は、回転盤２３と取付盤２１との間の摩擦力を増加させることによって両者間の噛み合う力を増強することが可能である。
【００１４】
本実施形態において、回転盤２３の底面の突起柱２３２は、回転盤２３と一体成型されるが、これには限らない。図１Ｂに示すように、突起柱２３２は、単独に環状体２３ａの底面に形成され、環状体２３ａは中央に貫通孔２２３を有し、断面がコ形を呈する。環状体２３ａは外側に回転盤２３の内側に嵌合される突起部２３４を有する。
【００１５】
図２Ａおよび図２Ｂに示すのは、図１Ａおよび図１Ｂの組立後の状態を示す断面図である。図２Ａに示すように、取付盤２１は回転盤２３の底面に固定される。図２Ｂに示すように、取付盤２１は環状体２３ａの底面のコ形構造内に固定され、かつ外側の突起部２３４によって回転盤２３の底面に嵌合され、そして周壁２３５の底部によって束縛、固定される。このような構造の特徴は、毛糸３０を更新する際に回転盤２３を取り替える必要なく、環状体２３ａを取り外せばよいことである。
【００１６】
上述した特徴により、本形態におけるモップヘッド２０は、毛糸３０をＭ形構造にかしめることによって逸脱現象を防止するため、使用寿命を伸ばすことが可能なだけでなく、異なる連結機構およびハンドルに適用することが可能である。以下、図面に基づいて実施形態を説明する。
【００１７】
図３Ａは、本形態による回転式モップを示す模式図である。回転式モップ１００は、ハンドル１０、モップヘッド２０および複数の毛糸３０から構成される。ハンドル１０は一つ以上の棒体１１から構成され、一端に回転ヘッド部１２を有する。モップヘッド２０は回転ヘッド部１２に接続される。複数の毛糸３０はモップヘッド２０の底部に固定される。
【００１８】
図３Ｂは、本形態による回転式モップ１００を示す分解図である。モップヘッド２０は、取付盤２１、少なくとも一つの鋸歯状ユニット２２、回転盤２３および連結機構２９を有する。連結機構２９は、回転盤２３と回転ヘッド部１２とを連結し、回転盤２３をハンドル１０に対して３６０度回転させることが可能である。
【００１９】
連結機構２９は、取付ユニット２４および係合ユニット２５を有する。取付ユニット２４は、回転座２４１および複数の係止溝２４２を有し、かつ外周縁部が連結孔２３１より大きいため、回転座２４１を連結孔２３１に露出させることが可能である。取付ユニット２４は、貫通孔２１２の中に装着される。係合ユニット２５は、穿孔２５１および複数の弾性フック２５２を有する。回転座２４１は、連結孔２３１および穿孔２５１に突出し、回転ヘッド部１２と結合することによって接続状態を呈する。弾性フック２５２は、係止溝２４２に係止されるため、回転盤２３は取付ユニット２４と係止ユニット２５との中間に固定される。弾性フック２５２は、係合ユニット２５の底部に配置される。
【００２０】
本実施形態において、回転座２４１は、弾性材質から構成されるＣ型フックにすることが可能である。回転ヘッド部１２は、Ｃ型フックに対応する円状突起部にすることが可能である。
図４Ａに示すように、本形態の回転モップを組み立てる際、まず複数の毛糸３０、取付盤２１、鋸歯状ユニット２２および回転盤２３を組み合わせ、続いて貫通孔２１２中に取付ユニット２４を装着し、回転座２４１を連結孔２３１および穿孔２５１に露出させると同時に、図４Ｂに示すように弾性フック２５２を係止溝２４２に引っ掛ける。続いて回転座２４１と回転ヘッド部１２とが合わさると、接続状態を呈する。
【００２１】
図５に示すように、本形態の回転モップの組立が完了した後、鋸歯状ユニット２２は、環状陥没溝２３１内に嵌合され、かつ回転盤２３の底部によって押されるため、縦方向に移動することができない。突起柱２３２と差込孔２１１との接合方式は、固着、係止固定、嵌合、係合、リベットによる接合、圧迫接合、クリップによる接合または高周波による接合などを採用することが可能である。弾性フック２５２は、逆さフック装置にすることが可能である。本形態による回転式モップ１００は、モップヘッド２０と毛糸３０との構造に設計を加え、回転盤２３によって毛糸３０を３６０度全方位回転させることによって構成される。
【００２２】
図５に示すように、本形態による回転式モップ１００において、モップヘッド２０は、さらに底座２６を有する。底座２６は、回転盤２３の底部に配置され、かつ回転盤２３によって受動回転する。かつ底座２６は、回転盤２３が３６０度回転する際に生じた反作用力によって毛糸３０が回転盤２３内に巻き込まれてしまうという事態を防止することが可能である。かつ底座２６は、取付ユニット２４を直接床に接触させないことによって取付ユニット２４の使用寿命を伸ばすことが可能である。
【００２３】
（第二実施形態）
図６Ａは本考案の第二実施形態による回転式モップの組立過程を示す模式図である。そのうち第一実施形態と同じかあるいはそれに相当するユニットは同じ符号で表示されるため詳しい説明を省略する。本実施形態において、連結機構２９は、取付ユニット２７および少なくとも一つの係合ユニット２８から構成される。取付ユニット２７は、外周に環状陥没溝２７１を有し、かつ頂面の耳座２７２によって回転ベッド部１２に嵌合され、接続状態を呈する。回転ヘッド部１２は、二つの耳部１２ａと、耳座２７２を締め付けるねじ１２ｂとから構成される。本実施形態において、係合ユニット２８は、二つの対称的な枠から構成され、かつ内側に環状陥没溝２７１に嵌合される半円形ネック部２８１を有する。図６Ｂに示すように、係合ユニット２８の枠が一体に連結される際、環状陥没溝２７１の外周縁部に被さるため、図６Ｃに示すようにハンドル１０に対して３６０度回転可能な構造を呈する。係合ユニット２８は、外周に複数のフック２８２を有する。フック２８２が回転盤２３の連結孔２３１の周りに配置された複数のフック状孔２３１１に嵌合されるため、取付ユニット２７および係合ユニット２８は、連結孔２３１内に位置付けられる。
【００２４】
図７に示すように、係合ユニット２８と回転盤２３とは接合、固定される。このとき回転盤２３は、取付ユニット２７およびハンドル１０に対して３６０度回転することが可能である。
係合ユニット２８は内側に合わさる複数の連結部２８３を有し、連結部２８３は凸形または凹形を呈することが可能であり、かつ固着、係止、嵌合、係合、リベット、圧迫、クリップまたは高周波によって接合される。
【００２５】
（他の実施形態）
図８は本考案の他の実施形態による回転式モップにおけるハンドルを示す分解斜視図である。本考案による回転式モップ１００において、ハンドル１０は複数の棒体１１を締め付けて接合することによって構成され、かつ掛け孔１３および少なくとも一つのスリーブ１４を有する。掛け孔１３は、回転式モップ１００を別の補助機構に掛けるのに用いられる。スリーブ１４は、使用者がハンドルを握る際に生じた不快な感じを減少させることが可能である。
【００２６】
本実施形態において、回転式モップは、特殊な設計により、毛糸を３６０度回転させ、モップヘッド上の毛糸と掃除しようとする場所とを十分に接触させることが可能であるため、使用者は、ハンドルの方向を変更する必要なく、毛糸の汚れを均一にすることが可能である。従って使用者は、汚れの程度によってモップヘッドの洗濯を決めることによって掃除作業の時間を節約することが可能となる。
【符号の説明】
【００２７】
１００：回転式モップ、１０：ハンドル、１１：棒体、１２：回転ヘッド部、１２ａ：耳部、１２ｂ：ねじ、１３：掛け孔、１４：スリーブ、２０：モップヘッド、２１：取付盤、２１１：差込孔、２１２：貫通孔、２１３：環状陥没溝、２１４：歯状構造、２２：鋸歯状ユニット、２２１：凹型構造、２３：回転盤、２３ａ：環状体、２３１：連結孔、２３１１：フック状孔、２３２：突起柱、２３３：貫通孔、２３４：突起部、２３５：周壁、２４：取付ユニット、２４１：回転座、２４２：係止溝、２５：係合ユニット、２５１：穿孔、２５２：弾性フック、２６：底座、２７：取付ユニット、２７１：環状陥没溝、２７２：耳座、２８：係合ユニット、２８１：ネック部、２８２：フック、２８３：連結部、２９：連結機構、３０：毛糸
【図１Ａ】
0003155986.tif 000003
【図１Ｂ】
0003155986.tif 000004
【図２Ａ】
0003155986.tif 000005
【図２Ｂ】
0003155986.tif 000006
【図３Ａ】
0003155986.tif 000007
【図３Ｂ】
0003155986.tif 000008
【図３Ｃ】
0003155986.tif 000009
【図３Ｄ】
0003155986.tif 000010
【図４Ａ】
0003155986.tif 000011
【図４Ｂ】
0003155986.tif 000012
【図５】
0003155986.tif 000013
【図６Ａ】
0003155986.tif 000014
【図６Ｂ】
0003155986.tif 000015
【図６Ｃ】
0003155986.tif 000016
【図７】
0003155986.tif 000017
【図８】
0003155986.tif 000018